(57)【特許請求の範囲】
【請求項１】
扱胴を回転可能に内装軸架した扱室の天面を覆うシリンダカバーと、前記扱胴にて脱穀された後の排ワラを切断するカッタ装置と、該カッタ装置の上方を覆うカッタカバーと、を備えた脱穀機において、
前記カッタカバーを前記シリンダカバーと別体で構成すると共に、該カッタカバーを平面視機体左右側に分割し、
該分割された一方のカッタカバーを前記シリンダカバーと一体的に上下回動可能に取付け、他方のカッタカバーを機体固定部に取付け、
前記分割された一方のカッタカバーと、他方のカッタカバーと、を略々同一形状に形成し、かつ前記分割されたカッタカバーの中間部位を他のカバーにて接続した、
ことを特徴とする脱穀機のカッタカバー構造。
【請求項２】
前記扱胴にて脱穀された後の排ワラを前記扱室後方に搬送する排ワラチェンを有し、該排ワラチェンを、前記シリンダカバーと一体的に上下回動可能に取付けた、ことを特徴とする請求項１記載の脱穀機のカッタカバー構造。
【発明の詳細な説明】
【０００１】
【発明の属する技術分野】
本発明は、脱穀機のカッタカバーに関し、特に排ワラを切断するカッタ装置の上方を覆う脱穀機のカッタカバー構造に関する。
【０００２】
【従来の技術】
コンバインに代表される脱穀機の後部には、脱穀部にて脱穀された後の排ワラを機体後方に移送する排ワラチェンと、該排ワラチェンにて搬送されてきた排ワラを切断する排ワラ切断装置が設けられていて、この排ワラ切断装置は、その上方をカッタカバーにて覆われている。このカッタカバーは、従来、カバー自体が大きく、しかもカバー全体が一体として構成されていて、その強度を保つために補強材にて強固に補強されていた。
【０００３】
このため、メインテナンス時には、カッタカバーを単独で上方にオープンするか、又は排ワラ切断装置を側方に開放しなければならないが、カッタカバーをオープンする場合は、該カッタカバーが重量物であるため持ち上げるのに大きな力を要する等、作業性が悪かった。
【０００４】
これに対し、例えば特公平７−９７９３４号公報には、扱胴の上方を覆うシリンダカバーを排ワラ切断装置の上方にまで延設することで、該シリンダカバーとカッタカバーの一部とを一体に形成し、シリンダカバーを上方に回動して開放すると、これと一体にカッタカバーも上方に回動する構成とした技術が開示されている。
【０００５】
【発明が解決しようとする課題】
しかし、前述した従来技術によると、シリンダカバーはカッタカバーと一体構成されているため、シリンダカバー自体の形状が大きくなり、型による成形に際しては、プレス型及び曲げ型も大きいものが必要となり、製造コストが高くなるという課題があった。また、従来技術の場合は、シリンダカバーと排ワラチェンとは別体に取付けられていて、シリンダカバーを開放しても排ワラチェンはカッタカバーと一緒に回動しないため、排ワラチェンと排ワラ切断装置のメインテナンス性の点で課題が残っていた。
【０００６】
本発明は、斯かる課題を解決するためになされたもので、その目的とするところは、カッタカバーを分割し、該分割した一方のカッタカバーをシリンダカバーと一体的に取付けることでシリンダカバーの開放荷重を小さくすると共に、製造コストの低減を図り得る脱穀機のカッタカバー構造を提供することにある。
【０００７】
【課題を解決するための手段】
前記目的を達成するため、本発明は、扱胴（１４）を回転可能に内装軸架した扱室（１２）の天面を覆うシリンダカバー（１８）と、前記扱胴（１４）にて脱穀された後の排ワラを切断するカッタ装置（３０）と、該カッタ装置（３０）の上方を覆うカッタカバー（３２）と、を備えた脱穀機（Ｃ）において、
前記カッタカバー（３２）を前記シリンダカバー（１８）と別体で構成すると共に、該カッタカバー（３２）を平面視機体左右側に分割し、
該分割された一方のカッタカバー（３２ａ）を前記シリンダカバー（１８）と一体的に上下回動可能に取付け、他方のカッタカバー（３２ｂ）を機体固定部（２１）に取付けた、ことを特徴とする。
【０００８】
また、前記扱胴（１４）にて脱穀された後の排ワラを前記扱室（１２）後方に搬送する排ワラチェン（２８）を有し、該排ワラチェン（２８）を、前記シリンダカバー（１８）と一体的に上下回動可能に取付けた、ことを特徴とする。
【０００９】
前記分割された一方のカッタカバー（３２ａ）と、他方のカッタカバー（３２ｂ）と、を略々同一形状に形成し、前記分割されたカッタカバーの中間部位を他のカバー（５６）にて接続したことを特徴とする。
【００１０】
［作用］
本発明によれば、カッタカバー（３２）をシリンダカバー（１８）と別体で構成すると共に、該カッタカバー（３２）を平面視機体左右側に分割したので、各分割片（３２ａ，３２ｂ）が小さくなることから、型による製造に際し、プレス型及び曲げ型等も小さくなるため、製造コストの低減が図られる。
【００１１】
また、分割された一方のカッタカバー（３２ａ）をシリンダカバー（１８）と一体的に上下回動可能に取付け、他方のカッタカバー（３２ｂ）を機体固定部（２１）に取付けたので、シリンダカバー（１８）を上方に回動操作して開放するとき、前記一方のカッタカバー（３２ａ）はシリンダカバー（１８）と一体で上方に移動するが、他方のカッタカバー（３２ｂ）は移動しないので、該シリンダカバー（１８）の開放荷重が軽くなり、保守・点検時の作業性の向上が図られる。
【００１２】
なお、上述した括弧内の符号は図面を参照するためのものであって、本発明を何ら限定するものではない。
【００１３】
【発明の実施の形態】
以下、図面に基づき本発明の実施の形態を説明する。
【００１４】
図１及び図２は、本発明が適用されたコンバインＣの側面図及び平面図を示している。この図１及び図２において、コンバインＣは脱穀部１０を有し、該脱穀部１０には扱室１２が形成されていて、該扱室１２内には扱胴１４が回転可能に内装軸架され、また扱室１２の機体左側方には、フィードチエン１６が機体前後方向に沿って張設されている。前記扱室１２の上方（天面）は、シリンダカバー１８にて覆われ、該シリンダカバー１８は、機体フレームに固定された回動支点軸２０を中心として上下に回動可能とされている。前記シリンダカバー１８は、フィードチエン１６に近接する機体左側に配置された第１のシリンダカバー１８ａと、機体略中央側に配置され、３個のヒンジ１９を介して該第１のシリンダカバー１８ａに取付けられた第２のシリンダカバー１８ｂとを有していて、該第２のシリンダカバー１８ｂが前記回動支点軸２０に回動可能に軸着されている。また、第２のシリンダカバー１８ｂの機体後部の右側には、機体に固定された機体フレームカバー２１が取付けられている。
【００１５】
更に、前記第１のシリンダカバー１８ａには、扱室１２の上部枠体２２が固定されていて、前記扱胴１４はこの上部枠体２２によって回転可能に内装軸架されている。この上部枠体２２には、回動アーム２４がボルト２６により固定されていて、この回動アーム２４は、回動支点軸２０を中心として回動可能に軸着されている。このため、シリンダカバー１８を回動支点軸２０を中心として上下に回動すると、扱胴１４もこのシリンダカバー１８と一体となって上下に回動する。なお、本実施の形態では、扱胴１４とシリンダカバー１８が一体となって上下に回動する場合について説明するが、この扱胴１４とシリンダカバー１８とが一体的に回動しないものであっても良い。
【００１６】
ところで、前処理部（図示せず）にて刈取られた穀稈は、前記フィードチエン１６により搬送されて扱室１２内に供給され、該扱室１２内で扱胴１４により脱穀される。一方、前記フィードチエン１６の搬送方向の後端側には、排ワラチェン２８が連設されていて、脱穀されて処理済の排ワラは、カッタ装置３０に引継がれて細かく切断される。このカッタ装置３０は、その上方をカッタカバー３２により覆われている。
【００１７】
前述した排ワラチェン２８は、排ワラの穂先側を挟持する穂先側チエン２８ａと、株元側を挟持する株元側チエン２８ｂとを有すると共に、搬送方向の終端側には排ワラチェン２８の後部を支持する回動アーム３４が取付けられていて、この回動アーム３４は前記回動支点軸２０に回動可能に軸着されている。前記排ワラチェン２８には、ギヤケース３６を介して扱胴１４を回転駆動する駆動軸から動力が伝達される。
【００１８】
また、前記扱室１２の下方には、受網３８が配設されていて、該受網３８の下方には、機体前後方向に沿い唐箕ファン４０及び排塵ファン４２が配設されている。そして、これらのファンにより唐箕ファン４０から排塵ファン４２の方向への風が引起こされ、この風によって扱室下方に選別風路が形成されている。
【００１９】
この選別風路内には、揺動選別体４４が、図示しない揺動リンク機構により機体前後方向に揺動自在に装架されている。更に、この揺動選別体４４の下方には、前記受網３８によって漏下された穀粒を、１番ラセン４６を介して揚穀筒（図示せず）により移送して、図示しない穀粒タンク（又はホッパ等）に収容する１番樋４８、及び未選別の穀粒を、還元筒（図示せず）を介して２番ラセン５０により移送して、揺動選別体４４上に還元する２番樋５２が配設されている。
【００２０】
本実施の形態では、前記カッタカバー３２をシリンダカバー１８と別体で構成すると共に、該カッタカバー３２を平面視機体左右側に分割し、該分割された一方のカッタカバーをシリンダカバー１８と一体的に上下回動可能に取付け、他方のカッタカバーを機体固定部に取付けた。
【００２１】
図２において、前記カッタカバー３２はシリンダカバー１８と別体で構成されていて、このカッタカバー３２は、平面視機体左右側に可動カバーと固定カバーの２つに分割されている。そして、分割された一方の可動側カバー３２ａは、ボルト５４により第１のシリンダカバー１８ａと一体に固定され、また、分割された他方の固定側カバー３２ｂは、ボルト５５により機体フレームカバー（機体固定部）２１に固定されている。そして、これら可動側カバー３２ａと固定側カバー３２ｂとは、分割された中間部位をビニルカバー５６にて接続されている。
【００２２】
このため、図３に示すように、シリンダカバー１８を、機体側方のフィードチエン１６側から、回動支点軸２０を中心として上方に持ち上げて回動すると、該シリンダカバー１８と一体で可動側カバー３２ａも回動する。しかし、固定側カバー３２ｂは、機体フレームカバー２１に固定されているため回動しない。従って、シリンダカバー１８を持ち上げる際、該シリンダカバー１８の他に可動側カバー３２ａの重量も加わるが、固定側カバー３２ｂの重量は加算されない。以上により、本実施の形態によれば、シリンダカバー１８の開放荷重が軽くて済み、保守・点検時の作業性の向上が図られる。また、カッタカバー３２が２つに分割されているので、各分割片３２ａ，３２ｂが小さくなり、これらを製造するためのプレス型及び曲げ型も小さくなるため、カッタカバー３２全体の製造コストの低減が図られる。
【００２３】
また、本実施の形態では、前記排ワラチェン２８は、シリンダカバー１８と一体的に上下回動可能に取付けられている。
【００２４】
すなわち、前記排ワラチェン２８はシリンダカバー１８と一体的に取付けられているので、シリンダカバー１８を上下に回動すると、排ワラチェン２８も一体で回動する。このように、シリンダカバー１８を開放すると、可動側カバー３２ａと排ワラチェン２８も一緒に上方に回動するので、排ワラチェン２８とカッタ装置３０のメインテナンス性の向上が図られる。
【００２５】
更に、本実施の形態では、可動側カバー３２ａと固定側カバー３２ｂとは、略々同一形状に形成されている。
【００２６】
図２及び図３に示すように、可動側カバー３２ａと固定側カバー３２ｂとは、いずれも平面視にて細長矩形状をなすと共に、これらは同一形状にて構成されている。これにより、可動側カバー３２ａと固定側カバー３２ｂとを、１個のプレス型及び曲げ型にて製造することができる。
【００２７】
次いで、図４及び図５は、参考例を示すもので、この参考例では、機体前後方向に沿う脱穀部入口から排ワラカッタに至るまで、シリンダカバー１８とカッタカバー３２とを一体的に開放可能としている。
【００２８】
すなわち、図４に示すように、シリンダカバー１８を機体前後方向に沿い、扱室１２の上方を覆う部分１８−１と排ワラチェン２８の上方を覆う部分１８−２とに分割すると共に、これら各部分１８−１，１８−２を、回動支点軸２０を中心として一体的に回動可能に取付けている。更に、カッタカバー３２を機体前後方向に沿い、上部カバー３２−１と後部カバー３２−２とに分割すると共に、これら各カバー１８，３２を、回動支点軸２０を中心として一体的に回動可能に取付けている。
【００２９】
これにより、図５に示すように、シリンダカバー１８−１，１８−２とカッタカバー３２−１，３２−２の全体を、回動支点軸２０を中心として一体的に上下に開閉することができる。このため、脱穀部入口から排ワラカッタの上方に至る範囲の保守、整備、清掃作業の向上を図ることができる。
【００３０】
【発明の効果】
請求項１記載の発明によれば、カッタカバーをシリンダカバーと別体で構成すると共に、該カッタカバーを平面視機体左右側に分割し、該分割された一方のカッタカバーをシリンダカバーと一体的に上下回動可能に取付け、また、他方のカッタカバーを機体固定部に取付けたので、シリンダカバーを上方に回動操作して開放するとき、前記一方のカッタカバーはシリンダカバーと一体で上方に移動するが、他方のカッタカバーは移動しないので、シリンダカバーの開放荷重が軽くて済み、保守・点検時の作業性の向上を図ることができる。
【００３１】
また、カッタカバーを分割したことから、各分割片が小さくなり、これらを製造するためのプレス型及び曲げ型も小さくなるため、製造コストを低減することができる。
【００３２】
請求項２記載の発明によれば、排ワラチェンを、シリンダカバーと一体的に上下回動可能に取付けたことで、シリンダカバーを開放すると、排ワラチェンと（一方の）カッタカバーとが一緒に回動するので、排ワラチェンとカッタ装置のメインテナンス性の向上を図ることができる。
【００３３】
請求項１記載の発明によれば、分割された一方のカッタカバーと、他方のカッタカバーとを略々同一形状に形成したので、一方と他方のカッタカバーを、１個のプレス型及び曲げ型にて安価に製造することができる。
【図面の簡単な説明】
【図１】本発明が適用されたコンバインの概略の側面図である。
【図２】同上の平面図である。
【図３】一方のカッタカバーを上方に開放したときの背面図である。
【図４】  参考例に係るコンバインの平面図である。
【図５】シリンダカバー及びカッタカバーを、一体的に上方に開放したときの斜視図である。
【符号の説明】
Ｃ        コンバイン
１２      扱室
１４      扱胴
１８      シリンダカバー
２０      回動支点軸
２１      機体フレームカバー
２８      排ワラチェン
３０      カッタ装置
３２      カッタカバー
３２ａ    可動側カバー
３２ｂ    固定側カバー
５６      ビニルカバー
【図１】
0004368536.tif 000002
【図２】
0004368536.tif 000003
【図３】
0004368536.tif 000004
【図４】
0004368536.tif 000005
【図５】
0004368536.tif 000006